(57)【要約】【課題】視覚障害者が装置を誤操作する可能性を低減すること。【解決手段】実施形態に係る操作装置は、局部洗浄機能を有する便座装置が備えられたトイレルーム内に設置され、便座装置を操作するための操作装置であって、表示部と、接触検知部と、送信部とを備える。表示部は、便座装置に対する制御指示に関連するオブジェクトを表示する。接触検知部は、表示部に対する使用者の接触を検知する。送信部は、表示部に表示されたオブジェクトへの使用者の接触が接触検知部により検知された場合に、オブジェクトと関連する制御指示により便座装置を操作するための信号を送信する。また、表示部は、使用者の接触に応じて信号を便座装置に送信する第１の領域と、使用者が接触した場合に信号を便座装置に送信しない第２の領域と有する。【選択図】図３
2020119105.tif 000002
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記表示部は、
前記使用者の接触に応じて前記信号を前記便座装置に送信する第１の領域と、前記使用者が接触した場合に前記信号を前記便座装置に送信しない第２の領域と有することを特徴とする操作装置。
【請求項２】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
前記表示部は、
前記便座装置を操作するためのオブジェクトが表示される第１の領域と、前記便座装置を操作する目的以外のオブジェクトが表示される第２の領域とを有することを特徴とする操作装置。
【請求項３】
前記送信部は、
前記接触検知部が、前記使用者による前記表示部の前記第１の領域への接触を検知した後、前記接触が維持された状態で前記接触の位置の移動を検知した場合、または前記接触が所定の時間以上継続した場合、前記信号を送信しないことを特徴とする請求項１または請求項２に記載の操作装置。
【請求項４】
前記表示部は、
前記第１の領域の面積よりも大きい面積を有する前記第２の領域を有することを特徴とする請求項１〜３のいずれか１項に記載の操作装置。
【請求項５】
前記表示部の外周部に設けられる枠部、
を備え、
前記表示部は、
前記枠部に隣接する外周部を除く所定の範囲に前記第１の領域を有することを特徴とする請求項１〜４のいずれか１項に記載の操作装置。
【請求項６】
前記第１の領域への前記使用者の接触、または前記第１の領域から前記第２の領域に移行する前記使用者の接触に応じて、振動または音声により、前記使用者に前記第１の領域を示す通知を行うことを特徴とする請求項１〜５のいずれか１項に記載の操作装置。
【請求項７】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記表示部は、
前記便座装置を操作不可能なロック画面と、前記便座装置を操作可能なロック解除画面と、を有し、
前記接触検知部は、
前記ロック画面の表示時における前記表示部の所定の領域への前記使用者の接触を、前記ロック画面を解除するための操作として検知することを特徴とする操作装置。
【請求項８】
前記表示部は、
前記所定の領域への前記使用者の接触が検知された場合、前記所定の領域とは異なる位置に、前記使用者による前記ロック画面を解除するための操作を確定するロック解除オブジェクトを表示することを特徴とする請求項７に記載の操作装置。
【請求項９】
前記接触検知部は、
前記ロック画面の表示時における言語選択のための言語選択オブジェクトへの前記使用者の接触を、前記ロック画面を解除するための操作として検知することを特徴とする請求項７または請求項８に記載の操作装置。
【請求項１０】
前記表示部は、
前記所定の領域に表示された言語選択開始オブジェクトへの前記使用者の接触が検知された場合、前記所定の領域とは異なる位置に、前記言語選択オブジェクトを、前記ロック画面を解除するためのロック解除オブジェクトとして表示することを特徴とする請求項９に記載の操作装置。
【請求項１１】
前記表示部は、
前記トイレルームへの前記使用者の入室が検知された場合に、前記使用者による操作を受け付けない入室検知時初期画面を表示し、前記入室から所定の期間経過後に、前記入室検知時初期画面から前記ロック画面に表示を変更することを特徴とする請求項７〜１０のいずれか１項に記載の操作装置。
【発明の詳細な説明】
【技術分野】
【０００１】
開示の実施形態は、操作装置に関する。
【背景技術】
【０００２】
従来、トイレルームに設置された局部洗浄機能を有する便座装置を操作するためのタッチパネル式の装置が知られている（例えば、特許文献１、特許文献２参照）。
【０００３】
このような、タッチパネル式の装置は、その装置の画面に表示されたオブジェクトに使用者が触れたことを感知し、そのオブジェクトに関連する制御指示を便座装置に実行させる。
【先行技術文献】
【特許文献】
【０００４】
【特許文献１】特開平１０−１１０４５８号公報
【特許文献２】特開２００８−００２１５１号公報
【特許文献３】登録実用新案第３０９７７９１号公報
【発明の概要】
【発明が解決しようとする課題】
【０００５】
しかしながら、タッチパネル式の装置の場合、視覚障害者が操作することが難しいといった問題がある。例えば、全盲の人など、装置の画面に表示されるオブジェクトを視覚によって認識することが困難な視覚障害者の方がタッチパネル式の操作装置を使用して便座装置を操作する場合、所望の制御が実行されるまで、操作装置の表示部（表示面）を手探りで触っていかなければならず、意図しない制御を実行してしまうという課題がある。このため、タッチパネル式の装置においては、視覚障害者が装置を誤操作する可能性を低減することが課題となる。
【０００６】
開示の実施形態は、視覚障害者が装置を誤操作する可能性を低減することができる操作装置を提供することを目的とする。
【課題を解決するための手段】
【０００７】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトを表示する表示部と、前記表示部に対する使用者の接触を検知する接触検知部と、前記表示部に表示された前記オブジェクトへの前記使用者の接触が前記接触検知部により検知された場合に、前記オブジェクトと関連する前記制御指示により前記便座装置を操作するための信号を送信する送信部と、を備え、前記表示部は、前記使用者の接触に応じて前記信号を前記便座装置に送信する第１の領域と、前記使用者が接触した場合に前記信号を前記便座装置に送信しない第２の領域と有することを特徴とする。
【０００８】
実施形態の一態様に係る操作装置の表示部（表示面）において、通信部が便座装置を制御するための信号を便座装置に送信する第１の領域と、通信部が便座装置を制御するための信号を便座装置に送信しない第２の領域とを設けた。これによって、全盲の人が、操作装置の位置を手探りで探す際に、表示部に触れてしまったとしても、使用者による表示部への接触によって便座装置を制御する信号を送信しない第２の領域が設けられているため、表示部に対する意図しない接触に伴い、表示部に表示された画面が遷移したり、便座装置を操作したりしてしまう可能性を低減することができる。したがって、常に音声案内装置を用いずとも、視覚障害者が装置を誤操作する可能性を低減することができ、且つ健常者の使用感も損ねることが無いタッチパネル式の操作装置を提供することができる。このように、実施形態の一態様に係る操作装置によれば、タッチパネル式の操作装置が設置されたトイレルームを利用する場合において、視覚障害者が装置を誤操作する可能性を低減することができる。
【０００９】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトを表示する表示部と、前記表示部に対する使用者の接触を検知する接触検知部と、前記表示部に表示された前記オブジェクトへの前記使用者の接触が前記接触検知部により検知された場合に、前記オブジェクトと関連する前記制御指示により前記便座装置を操作するための信号を送信する送信部と、を備え、前記表示部は、前記便座装置を操作するためのオブジェクトが表示される第１の領域と、前記便座装置を操作する目的以外のオブジェクトが表示される第２の領域とを有することを特徴とする。
【００１０】
操作装置の表示部（表示面）において、便座装置に対する制御指示に関連するオブジェクトが表示される第１の領域と、広告のための映像を流したり、各オブジェクトに使用者が接触することによって実行される操作を説明する映像を流したりするために、便座装置を操作する目的以外のオブジェクトが表示される第２の領域とを設けた。これによって、全盲の人が、操作装置の位置を手探りで探す際に、表示部に触れてしまったとしても、便座装置を操作する目的以外のオブジェクトが表示されている第２の領域が設けられているため、表示部に対する意図しない接触に伴い、便座装置を操作してしまう可能性を低減することができる。したがって、常に音声案内装置を用いずとも、視覚障害者が装置を誤操作する可能性を低減することが可能であり、且つ健常者の使用感も損ねることが無いタッチパネル式の操作装置を提供することができる。このように、実施形態の一態様に係る操作装置によれば、視覚障害者が装置を誤操作する可能性を低減することができる。
【００１１】
前記送信部は、前記接触検知部が、前記使用者による前記表示部の前記第１の領域への接触を検知した後、前記接触が維持された状態で前記接触の位置の移動を検知した場合、または前記接触が所定の時間以上継続した場合、前記信号を送信しないことを特徴とする。
【００１２】
視覚障害者は、トイレルーム内の機器の配置を確かめるために、壁面をなぞるように触察することが知られている。したがって、実施形態の一態様に係る操作装置によれば、第１の領域に対する使用者による接触を検知したとしても、その接触状態を維持したまま、表示部に対する接触位置を移動させた場合、便座装置を操作するための信号を便座装置に送信しない。これによって、操作装置の表示部（表示面）をなぞるような操作（ドラッグ、スワイプ、フリック、ピンチ等）や表示部を所定の時間以上接触し続ける操作（ロングタップ等）による表示部に対する接触により、意図せず便座装置を操作してしまう可能性を低減することができる。したがって、視覚障害者が装置を誤操作する可能性を低減することができる。これにより、タッチパネル式の操作装置が設置されたトイレルームを利用する場合において、視覚障害者が装置を誤操作する可能性を低減することができる。
【００１３】
実施形態の一態様に係る操作装置において、前記表示部は、前記第１の領域の面積よりも大きい面積を有する前記第２の領域を有することを特徴とする。
【００１４】
このように、操作装置が使用者の接触を検知可能な第１の領域の面積よりも、操作装置が使用者の接触を検知不可能な第２の領域の面積の方が大きい。これによって、全盲の人が、表示部上の第１の領域に意図せずに接触してしまう可能性をより低減することができる。したがって、視覚障害者が装置を誤操作する可能性を低減することができる。
【００１５】
実施形態の一態様に係る操作装置は、前記表示部の外周部に設けられる枠部、を備え、前記表示部は、前記枠部に隣接する外周部を除く所定の範囲に前記第１の領域を有することを特徴とする。
【００１６】
このように、操作装置は、枠部（フレーム）に隣接する表示部の外周部（周縁部）に、使用者の接触を検知可能な第１の領域を設けない。これによって、表示部上の第１の領域に意図せずに接触してしまう可能性をより低減することができる。本件発明者らは、全盲の人々にトイレルーム内に設けられた便座装置を操作するための操作装置の使用状況についてヒアリングを行った。その結果、全盲の人々は、便座に着座した状態で触れる位置にあるトイレルーム内の壁面を触りながら、操作装置の表示部の外側に形成されたフレームを触ることで操作装置の全体形状を把握してから当たりを付けることで操作装置を使用していることが分かった。上記のように、枠部（フレーム）に隣接する表示部の外周部（周縁部）に、使用者の接触を検知可能な第１の領域を設けないことで、全盲の人が、操作装置の全体形状を把握するために操作装置のフレームを触る際に、表示部上の第１の領域に意図せずに接触してしまう可能性をより低減することができる。したがって、視覚障害者が装置を誤操作する可能性を低減することができる。
【００１７】
実施形態の一態様に係る操作装置は、前記第１の領域または前記第１の領域から前記第２の領域に移行する前記使用者の接触に応じて、振動または音声により、前記使用者に前記第１の領域を示す通知を行うことを特徴とする。
【００１８】
操作装置を含むトイレシステムは、使用者が第１の領域に接触したとき、あるいは、使用者が接触している位置が第１の領域から第２の領域に移行したとき、操作装置は、振動または音声によって使用者に通知（報知）する。これによって、第１の領域の存在を使用者に報知することが可能となり、全盲の人が、表示部上の第１の領域に意図せずに接触してしまったとしても、全盲の人がその接触位置に第１の領域が存在することを認知することができる。したがって、視覚障害者が装置を誤操作する可能性を低減することができる。
【００１９】
実施形態の一態様に係る操作装置は、局部洗浄機能を有する便座装置が備えられたトイレルーム内に設置され、前記便座装置を操作するための操作装置であって、前記操作装置は、前記便座装置に対する制御指示に関連するオブジェクトを表示する表示部と、前記表示部に対する前記使用者の接触を検知する接触検知部と、前記表示部に表示された前記オブジェクトへの前記使用者の接触が前記接触検知部により検知された場合に、前記オブジェクトと関連する前記制御指示により前記便座装置を操作するための信号を送信する送信部と、を備え、前記表示部は、前記便座装置を操作不可能なロック画面と、前記便座装置を操作可能なロック解除画面と、を有し、前記接触検知部は、前記ロック画面の表示時における前記表示部の所定の領域への前記使用者の接触を、前記ロック画面を解除するための操作として検知することを特徴とする。
【００２０】
操作装置の表示部（表示面）において、便座装置を操作不可能なロック画面と、便座装置を操作可能なロック解除画面を表示し、ロック画面の表示時における所定の領域への接触が無い限り、ロック画面を解除するための操作として検知しないため、全盲の人が、操作装置の位置を手探りで探す際に、表示部に触れてしまったとしても、表示部に対する意図しない接触に伴い、便座装置を操作してしまう可能性を低減することができる。したがって、実施形態の一態様に係る操作装置によれば、視覚障害者が装置を誤操作する可能性を低減することができる。
【００２１】
実施形態の一態様に係る操作装置において、前記表示部は、前記所定の領域への前記使用者の接触が検知された場合、前記所定の領域とは異なる位置に、前記使用者による前記ロック画面を解除するための操作を確定するロック解除オブジェクトを表示することを特徴とする。
【００２２】
ロック画面の所定の領域への使用者の接触が検知された場合、所定の領域とは異なる位置に、使用者による前記ロック画面を解除するための操作を確定するロック解除オブジェクトを表示するため、全盲の人が、操作装置の位置を手探りで探す際に、表示部に触れてしまったとしても、ロック解除オブジェクトに意図せず接触する可能性を低減させることができる。これにより、全盲の人が手探り等によりロック画面を解除する可能性を低減することができるため、視覚障害者が装置を誤操作する可能性を低減することができる。
【００２３】
実施形態の一態様に係る操作装置において、前記接触検知部は、前記ロック画面の表示時における言語選択のための言語選択オブジェクトへの前記使用者の接触を、前記ロック画面を解除するための操作として検知することを特徴とする。
【００２４】
使用者による言語選択の操作を、ロック画面を解除するための操作として検知するため、健常者の利便性を下げることなく、全盲の人が、操作装置の位置を手探りで探す際に、表示部に触れてしまったとしても、ロック解除オブジェクトに意図せず接触する可能性を低減させることができる。これにより、全盲の人が手探り等によりロックを解除する可能性を低減することができるため、視覚障害者が装置を誤操作する可能性を低減することができる。
【００２５】
実施形態の一態様に係る操作装置において、前記表示部は、前記所定の領域に表示された言語選択開始オブジェクトへの前記使用者の接触が検知された場合、前記所定の領域とは異なる位置に、前記言語選択オブジェクトを、前記ロック画面を解除するためのロック解除オブジェクトとして表示する。
【００２６】
ロック画面の所定の領域に表示された言語選択開始オブジェクトへの使用者の接触が検知された場合、所定の領域とは異なる位置に、ロック画面を解除するためのロック解除オブジェクトとして言語選択オブジェクトを表示するため、全盲の人が、操作装置の位置を手探りで探す際に、表示部に触れてしまったとしても、言語選択オブジェクトに意図せず接触する可能性を低減させることができる。これにより、全盲の人が手探り等によりロック画面を解除する可能性を低減することができるため、視覚障害者が装置を誤操作する可能性を低減することができる。
【００２７】
実施形態の一態様に係る操作装置において、前記表示部は、前記トイレルームへの前記使用者の入室が検知された場合に、前記使用者による操作を受け付けない入室検知時初期画面（図１１中のウェルカム画面に対応）を表示し、前記入室から所定の期間経過後に、前記入室検知時初期画面から前記ロック画面に表示を変更することを特徴とする。
【００２８】
トイレルームへの使用者の入室が検知された場合に、使用者による操作を受け付けない入室検知時初期画面やロック画面に表示を変更するため、全盲の人が、操作装置の位置を手探りで探す際に、表示部に触れてしまったとしても、解除オブジェクトに意図せず接触する可能性を低減させることができる。これにより、全盲の人が手探り等によりロックを解除する可能性を低減することができるため、視覚障害者が装置を誤操作する可能性を低減することができる。
【発明の効果】
【００２９】
実施形態の一態様によれば、視覚障害者が装置を誤操作する可能性を低減することができる。
【図面の簡単な説明】
【００３０】
【図１】図１は、実施形態に係る操作装置の一例を示す図である。
【図２】図２は、実施形態に係るトイレシステムの外観構成の一例を示す模式斜視図である。
【図３】図３は、トイレシステムの構成の一例を示すブロック図である。
【図４】図４は、便座装置の機能構成の一例を示すブロック図である。
【図５】図５は、操作装置の動作例を示す図である。
【図６】図６は、操作装置の表示の一例を示す図である。
【図７】図７は、操作装置による操作判定の一例を示す図である。
【図８】図８は、操作装置が実行する処理の手順の一例を示すフローチャートである。
【図９】図９は、便座装置の他の構成の一例を示すブロック図である。
【図１０】図１０は、トイレシステムが実行する処理の手順の一例を示すフローチャートである。
【図１１】図１１は、操作装置が実行する画面遷移の一例を示す図である。
【図１２】図１２は、操作装置が実行する機能説明の処理の手順の一例を示すフローチャートである。
【図１３】図１３は、操作装置が実行するロック解除における画面遷移の一例を示す図である。
【図１４】図１４は、操作装置が実行するロック解除における画面遷移の他の一例を示す図である。
【発明を実施するための形態】
【００３１】
以下、添付図面を参照して、本願の開示する操作装置の実施形態を詳細に説明する。なお、以下に示す実施形態によりこの発明が限定されるものではない。
【００３２】
＜１．情報処理＞
まず、実施形態に係る操作装置において実行される情報処理の内容について図１を参照して説明する。図１は、実施形態に係る操作装置の一例を示す図である。図１に示す操作装置１０は、局部洗浄機能を有する便座装置２（図２参照）を操作するための情報処理装置である。操作装置１０は、タッチパネルの機能を有するタッチパネル式の操作装置であり、ディスプレイである表示部１３への使用者の接触に応じて操作を受け付ける。また、操作装置１０は、トイレルームＲ（図２参照）等のトイレ室に配置されるが詳細は後述する。
【００３３】
図１の例では、操作装置１０の長手方向を横に向けて使用する表示態様により、操作装置１０の短手方向を上下方向とし、表示部１３の長手方向を左右方向として説明するが、操作装置１０の方向を規定するものではない。図１に示すように、操作装置１０は、表示部１３の外周部１３１に沿って枠部１９が設けられる。枠部１９は、表示部１３の周囲を囲むフレームである。なお、図１では、枠部１９と表示部１３との境界を明示し、枠部１９の内側全体が表示部１３であることを明示するために、枠部１９にハッチングを付す。
【００３４】
図１の操作装置１０は、表示部１３に操作画面が表示された状態を示す。操作画面には、便座装置２の局部洗浄機能に対する制御指示に関連するオブジェクトＯＢ１〜ＯＢ７や広告や機能説明等の種々のコンテンツが表示される情報表示エリアＣＴが含まれる。図１に示すように、操作画面が表示された表示部１３には、上側に情報表示エリアＣＴが配置され、オブジェクトＯＢ１〜ＯＢ７等が下側に配置される。
【００３５】
ここで、オブジェクトＯＢ１は、便座装置２により実行中の制御を止めるためのオブジェクトである。オブジェクトＯＢ２は、便座装置２による局部洗浄の実行を開始するためのオブジェクトである。オブジェクトＯＢ３は、便座装置２に所定の音を出力させるためのオブジェクトである。オブジェクトＯＢ４は、便座装置２のノズル部６（図２参照）を除菌水で殺菌する殺菌処理を行うためのオブジェクトである。
【００３６】
オブジェクトＯＢ５は、便座装置２による局部洗浄時の吐水の勢いを調整するためのオブジェクトである。オブジェクトＯＢ６は、便座装置２が出力する音の音量を調整するためのオブジェクトである。オブジェクトＯＢ７は、トイレの利用に関する情報を操作装置１０に表示したり音声出力したりする際の言語を選択するためのオブジェクトである。
【００３７】
オブジェクトＯＢ２〜ＯＢ４の右下に配置された機能説明オブジェクトＩＯ２〜ＩＯ４は、対応するオブジェクトの機能の説明を行うためのオブジェクトである。例えば、機能説明オブジェクトＩＯ２に使用者が接触した場合、情報表示エリアＣＴにオブジェクトＯＢ２に関する機能説明のコンテンツが表示される。また、オブジェクトＯＢ１〜ＯＢ７の外周には、接触した使用者に所定の通知を行うためのエリアＡＲ１〜ＡＲ４が設けられるが、詳細は後述する。
【００３８】
操作装置１０は、表示部１３に表示されたオブジェクトＯＢ１に使用者が接触したことを検知した場合、実行中の制御を便座装置２に止めさせるための信号を便座装置２へ送信する。また、操作装置１０は、表示部１３に表示されたオブジェクトＯＢ２に使用者が接触したことを検知した場合、局部洗浄の実行を便座装置２に開始させるための信号を便座装置２へ送信する。また、操作装置１０は、表示部１３に表示されたオブジェクトＯＢ３に使用者が接触したことを検知した場合、トイレの音消し用等の所定の音を便座装置２に出力させるための信号を便座装置２へ送信する。また、操作装置１０は、表示部１３に表示されたオブジェクトＯＢ４に使用者が接触したことを検知した場合、ノズル部６の殺菌処理を便座装置２に実行させるための信号を便座装置２へ送信する。
【００３９】
また、操作装置１０は、表示部１３に表示されたオブジェクトＯＢ５に使用者が接触したことを検知した場合、局部洗浄時の吐水の勢いを調整するための信号を便座装置２へ送信する。例えば、操作装置１０は、オブジェクトＯＢ５の「＋」が表示された部分に使用者が接触したことを検知した場合、局部洗浄時の吐水の勢いを強めるための信号を便座装置２へ送信する。また、例えば、操作装置１０は、オブジェクトＯＢ５の「−」が表示された部分に使用者が接触したことを検知した場合、局部洗浄時の吐水の勢いを弱めるための信号を便座装置２へ送信する。
【００４０】
また、操作装置１０は、表示部１３に表示されたオブジェクトＯＢ６に使用者が接触したことを検知した場合、出力する音の音量を調整するための信号を便座装置２へ送信する。例えば、操作装置１０は、オブジェクトＯＢ６の「＋」が表示された部分に使用者が接触したことを検知した場合、出力する音の音量を強めるための信号を便座装置２へ送信する。また、例えば、操作装置１０は、オブジェクトＯＢ６の「−」が表示された部分に使用者が接触したことを検知した場合、出力する音の音量を弱めるための信号を便座装置２へ送信する。例えば、操作装置１０は、オブジェクトＯＢ１〜ＯＢ７の範囲を示す情報を記憶部１４（図３参照）に記憶し、使用者の接触位置との比較に基づいて、使用者がオブジェクトＯＢ１〜ＯＢ７に接触したかを判定する。
【００４１】
オブジェクトＯＢ１〜ＯＢ６は、使用者の接触に応じて、便座装置２に関連する制御を行う、使用者のオブジェクトＯＢ１〜ＯＢ６への接触による操作が可能である。すなわち、オブジェクトＯＢ１〜ＯＢ６が表示される領域は、使用者による接触により操作可能な領域（第１領域）である。このように、操作画面が表示された表示部１３は、使用者の接触に応じて信号を便座装置に送信する第１の領域を有する。
【００４２】
一方で、情報表示エリアＣＴは、広告や機能説明等の種々のコンテンツが表示されるが、操作装置を操作するためのオブジェクトであり、便座装置を操作不可能な領域である。すなわち、情報表示エリアＣＴが表示される領域は、使用者による接触により便座装置２を操作不可能な領域（第２領域）である。また、操作画面が表示された表示部１３は、情報表示エリアＣＴ以外にも、オブジェクトＯＢ１〜ＯＢ７の周囲の第２領域である余白部ＢＳを有する。余白部ＢＳは、オブジェクトが表示されていない余白部のため、便座装置２を操作不可能な領域（第２領域）である。このように、操作画面が表示された表示部１３は、使用者の接触に応じて信号を便座装置２に送信しない第２の領域を有する。
【００４３】
このように、操作装置１０は、使用者の接触に応じて信号を便座装置２に送信する第１の領域と、使用者の接触に応じて信号を便座装置２に送信しない第２の領域とを有することにより、視覚障害者が装置を誤操作する可能性を低減することができる。例えば、操作装置１０は、第２の領域を有することにより、スマートフォン等のデバイスの様に表示面の全領域で使用者の接触による操作が可能な場合に比べて、誤操作の可能性を低減することができる。
【００４４】
操作装置１０は、情報表示エリアＣＴや余白部ＢＳにより第２領域を大きくすることができる。また、操作装置１０は、表示部１３の外周部１３１には、オブジェクトＯＢ１〜ＯＢ７を配置しない。操作装置１０は、表示部１３の外周部１３１を除く範囲に第１の領域を有する。例えば、オブジェクトＯＢ１は、左方向において、表示部１３の外周部１３１から間隔ＨＭだけ離間させた位置に配置される。また、例えば、オブジェクトＯＢ１は、下方向において、表示部１３の外周部１３１から間隔ＶＭだけ離間させた位置に配置される。このように、操作装置１０は、オブジェクトＯＢ１〜ＯＢ７と表示部１３の外周部１３１との間を離間させてオブジェクトＯＢ１〜ＯＢ７を配置することにより、視覚障害者の手探りにより誤操作する可能性を低減することができる。例えば、全盲の人は物体の輪郭を触ってサイズを推定するため、操作装置１０は、オブジェクトＯＢ１〜ＯＢ７を枠部１９付近には配置しないことにより、視覚障害者の手探りにより誤操作する可能性を低減することができる。また、操作装置１０は、健常者にとっても違和感が少ない操作画面を提供することができる。すなわち、操作装置１０は、健常者への影響を抑制し、かつ視覚障害者が装置を誤操作する可能性を低減することができる。
【００４５】
例えば、操作装置の表示部（表示面）上に点字を設けたとしても、所望の制御に対応する点字を見つけるまでに表示部に触れなければならず、視覚障害者、特に全盲の人が装置を誤操作する可能性を低減することが難しい。また、トイレルーム内は、プライベート空間であるが故に周りにサポートしてくれる方がいないという事に加え、トイレルーム内に設置される操作装置１０の表示部に表示されるオブジェクトのレイアウトが各トイレルームで統一されていないため、視覚障害者、特に全盲の人が装置を誤操作する可能性を低減することが難しい。
【００４６】
一方で、操作装置１０は、操作画面を表示した表示部１３に使用者の接触に応じて信号を便座装置２に送信する第１の領域と、使用者が接触した場合に信号を便座装置２に送信しない第２の領域と有することにより、使用者が誤って表示部１３に接触した場合であっても、便座装置２が操作される可能性が低減される。これにより、操作装置１０は、視覚障害者、特に全盲の人が装置を誤操作する可能性を低減することができる。
【００４７】
また、例えば、全盲の人の利便性向上のために、トイレルーム内に設けられたスイッチを操作することによりトイレルーム内の機器の位置、および操作方法を音声にて案内を行う音声案内装置が知られている（たとえば特許文献３参照）。この場合、音声案内にはスイッチの操作が必要であるため、スイッチの位置を視覚によって認識することができない全盲の人には利便性が高いとは言い難い。また、人体検知センサによる人の検知に応じて音声案内を行うことは、健常者に対しても音声案内が出力されるため、トイレルーム内での自分の操作を他人に聞かれたくない健常者にとって使用感を損ねてしまうため、採用することは困難である。一方で、操作装置１０によれば、常に音声案内を行わずとも、視覚障害者が装置を誤操作する可能性を低減することが可能であり、かつ健常者の使用感も損ねないタッチパネル式の操作装置１０を提供することができる。
【００４８】
なお、操作装置１０は、上記のような表示部１３による表示や操作の受付け等の処理を所定のアプリケーションにより実現してもよい。また、操作装置１０は、所定のソフトウェアアプリケーション上で実行されるスクリプトを取得し、取得したスクリプト等の制御情報により、上記のような情報表示や操作受付等の情報処理を実行してもよい。例えば、制御情報は、実施形態に係る操作装置１０による情報表示や操作受付等の情報処理を実現するプログラムに対応するものであり、例えば、ＣＳＳ（Cascading  Style  Sheets）、ＪａｖａＳｃｒｉｐｔ（登録商標）、ＨＴＭＬ（Hyper  Text  Markup  Language）、あるいは、上述した操作装置１０による情報表示や操作受付等の情報処理を記述可能な任意の言語によって実現される。
【００４９】
＜２．トイレシステムの外観構成＞
次に、実施形態に係るトイレシステムの外観構成について図２を参照して説明する。図２は、実施形態に係るトイレシステムの外観構成の一例を示す模式斜視図である。
【００５０】
図２に示すように、トイレシステム１は、便座装置２と、操作装置１０とを備える。図２に示すように、トイレルームＲには、床面Ｆに、洋式大便器（以下「便器」と記載する）７が設置されており、便座装置２は、便器７の上部に設けられる。
【００５１】
便器７は、例えば、陶器製である。便器７には、ボウル部８が形成される。ボウル部８は、下方に凹んだ形状であり、使用者の排泄物を受ける部位である。なお、便器７は、図示のような床置き式に限らず、トイレシステム１を適用可能であれば、どのような形式でもよく、壁掛け式等のような形式であってもよい。便器７には、ボウル部８が臨む開口の端部の全周にわたってリム部９が設けられる。トイレルームＲには、例えば、便器７付近に洗浄水を貯留する洗浄水タンクが設置されてもよいし、洗浄水タンクが設置されない、いわゆるタンクレス式でもよい。
【００５２】
例えば、トイレルームＲに設けられた洗浄用の洗浄操作部（図示省略）が使用者により操作されると、便器７のボウル部８への洗浄水の供給による便器洗浄が実施される。洗浄操作部は操作レバーや、操作装置１０に表示された便器洗浄オブジェクトに対するタッチ操作であってもよい。なお、洗浄操作部は、操作レバーなどのような使用者の手動によって便器洗浄を実施させるものに限らず、着座センサのような使用者を検知するセンサの人体検知によって便器洗浄を実施させるものでもよい。
【００５３】
便座装置２は、便器７の上部に取り付けられ、本体部３と、便蓋４と、着座部５と、ノズル部６とを備える。なお、便座装置２は、便器７に対して着脱可能に取り付けられてもよいし、便器７と一体化するように取り付けられてもよい。
【００５４】
図２に示すように、着座部５は、いわゆる便座であり、中央に開口を有する環状に形成され、リム部９に沿って、便器７の開口に重なる位置に配置される。そして、着座部５は、着座した使用者の臀部を支持する。また、図２に示すように、便蓋４及び着座部５は、それぞれの一端部が本体部３に軸支され、本体部３の軸支部分を中心として回動可能（開閉可能）に取り付けられる。なお、便蓋４は、便座装置２に必要に応じて取り付けられ、便座装置２は、便蓋４を有しなくてもよい。
【００５５】
ノズル部６は、局部洗浄用のノズルである。ノズル部６は、図示しない電動モータなどの駆動源の駆動により、本体部３の筐体に対して進退可能に構成される。また、ノズル部６は、図示しない水道管などの水源に接続される。そして、ノズル部６は、図２に示すように、本体部３の筐体に対して進出した位置にあるときに、水源からの水を使用者の身体へ噴出させて局部を洗浄する。
【００５６】
操作装置１０は、トイレルームＲ内に設けられる。操作装置１０は、使用者が操作可能な位置に設けられる。操作装置１０は、使用者が着座部５に着座時において、操作可能な位置に設けられる。図２に示す例において、操作装置１０は、着座部５に着座した使用者から見て右側方の壁面Ｗに配置される。なお、操作装置１０は、着座部５に着座した使用者が利用可能であれば、壁面に限らず、種々の態様により配置されてもよい。例えば、操作装置１０は、便座装置２と一体に設けられてもよいが、この点については後述する。
【００５７】
＜３．トイレシステムの構成及び操作装置の機能構成＞
次に、トイレシステム１の構成及び操作装置１０の機能構成について図３を参照して説明する。図３は、トイレシステムの構成の一例を示すブロック図である。具体的には、図３は、トイレシステム１の構成及びトイレシステム１に含まれる操作装置１０の機能構成を示す。トイレシステム１は、便座装置２と、操作装置１０とが含まれる。
【００５８】
便座装置２と、操作装置１０とは所定のネットワークＮを介して、有線または無線により通信可能に接続される。例えば、便座装置２と操作装置１０とは、情報の送受信が可能であれば、どのような接続であってもよく、有線により通信可能に接続されてもよいし、無線により通信可能に接続されてもよい。
【００５９】
トイレシステム１に、音声出力装置５０が含まれる場合、例えば、音声出力装置５０はトイレルームＲ内に設けられる。例えば、操作装置１０や便座装置２が音声案内を行う機能を有していてもよい。なお、図３では、音声出力装置５０を図示するが、トイレシステム１には、音声出力装置５０が含まれなくてもよい。例えば、音声出力装置５０は、便座装置２と、操作装置１０と所定のネットワークＮを介して、有線または無線により通信可能に接続され、トイレルームＲ内に音声を出力する便座装置２や操作装置１０とは異なる構成であってもよい。
【００６０】
まず、操作装置１０の構成について説明する。図３に示すように、操作装置１０は、通信部１１と、入力部１２と、表示部１３と、記憶部１４と、制御部１５と、接触検知部１６と、音声出力部１７と、振動出力部１８と、枠部１９（図１参照）とを有する。
【００６１】
通信部１１は、例えば、通信回路等によって実現される。そして、通信部１１は、図示しない所定の通信網（ネットワークＮ）と有線または無線で接続され、外部の情報処理装置との間で情報の送受信を行う。例えば、通信部１１は、ネットワークＮと有線または無線で接続され、便座装置２や音声出力装置５０との間で情報の送受信を行う。
【００６２】
入力部１２は、使用者から各種操作が入力される。入力部１２は、タッチパネル機能により表示面（例えば表示部１３）を介して使用者からの各種操作を受け付ける。また、入力部１２は、操作装置１０に設けられたスイッチやボタン等により各種操作を受け付けてもよい。
【００６３】
入力部１２は、接触検知部１６により実現されるタッチパネルの機能によりタブレット端末等のディスプレイ（表示面、表示画面）を介して使用者から各種操作を受け付ける。すなわち、入力部１２は、操作装置１０の表示部１３を介して使用者から各種操作を受け付ける。例えば、入力部１２は、操作装置１０の表示部１３を介して使用者のオブジェクトの指定操作等の操作を受け付ける。言い換えると、入力部１２は、タッチパネルの機能により使用者の操作を受け付ける受付部として機能する。なお、入力部１２による使用者の操作の検知方式には、タブレット端末では主に静電容量方式が採用されるが、他の検知方式である抵抗膜方式、表面弾性波方式、赤外線方式、電磁誘導方式など、使用者の操作を検知できタッチパネルの機能が実現できればどのような方式を採用してもよい。また、操作装置１０は、操作装置１０にスイッチやボタン等が設けられる場合、スイッチやボタン等による操作も受け付ける入力部を有してもよい。
【００６４】
表示部１３は、例えば液晶ディスプレイや有機ＥＬ（Electro-Luminescence）ディスプレイ等によって実現されるタブレット端末等の表示画面であり、各種情報を表示するための表示装置である。つまり、操作装置１０は、表示部１３である表示画面により使用者の入力を受け付け、使用者への出力も行う。表示部１３は、各種情報を表示する。なお、表示部１３における表示の制御は、表示部１３が行ってもよいし、制御部１５の表示制御部等が行ってもよい。
【００６５】
表示部１３は、便座装置に対する制御指示に関連するオブジェクトを表示する。表示部１３は、使用者の接触に応じて信号を便座装置２に送信する第１の領域と、使用者が接触した場合に信号を便座装置２に送信しない第２の領域と有する。表示部１３は、オブジェクトが表示される第１の領域を有する。すなわち、第１の領域は、オブジェクトが表示されると共に、使用者の接触に応じて信号を便座装置２に送信する領域である。また、第２の領域は、オブジェクトの表示の有無や、信号を送信するか否かを問わず、便座装置２を操作しない領域である。例えば、第２の領域は、使用者が接触した場合であっても信号を生成しない領域であってもよい。表示部１３は、第１の領域の面積よりも大きい面積を有する第２の領域を有する。表示部１３は、外周部１３１を除く所定の範囲に第１の領域を有する。
【００６６】
表示部１３は、便座装置に対する制御指示に関連するオブジェクトを表示する。表示部１３は、便座装置２を操作不可能なロック画面と、便座装置２を操作可能なロック解除画面とを有する。すなわち、表示部１３は、便座装置２を操作不可能なロック画面を表示したり、便座装置２を操作可能なロック解除画面を表示したりする。表示部１３は、所定の領域への使用者の接触が検知された場合、所定の領域とは異なる位置に、使用者によるロック画面を解除するための操作を確定するロック解除オブジェクトを表示する。表示部１３は、トイレルームへの使用者の入室が検知された場合に、使用者による操作を受け付けない入室検知時初期画面を表示し、入室から所定の期間経過後に、入室検知時初期画面からロック画面に表示を変更する。表示部１３は、所定の領域に表示された言語選択開始オブジェクト（例えばオブジェクトＯＢ７）への使用者の接触が検知された場合、所定の領域とは異なる位置に、言語選択オブジェクトを、ロック画面を解除するためのロック解除オブジェクトとして表示する。
【００６７】
記憶部１４は、例えば、ＲＡＭ（Random  Access  Memory）、フラッシュメモリ（Flash  Memory）等の半導体メモリ素子、または、ハードディスク、光ディスク等の記憶装置によって実現される。記憶部１４は、例えば、操作装置１０にインストールされているアプリケーション（例えばトイレ機器操作用アプリ等）に関する情報、例えばプログラム等を記憶する。記憶部１４は、操作画面等の各種画面に関する情報を記憶する。記憶部１４は、便座装置２を操作するための信号を生成するために用いる情報を記憶する。記憶部１４は、オブジェクトと制御指示とを対応付けた情報を記憶する。
【００６８】
また、記憶部１４は、使用者が指定したオブジェクトに対応する制御指示を行うかを判定するための情報を記憶する。例えば、記憶部１４は、使用者の接触がいずれの操作であるかを判定するための情報を記憶する。例えば、記憶部１４は、使用者の操作がドラッグ、スワイプ、フリック、ピンチ、ロングタップのいずれかである場合、制御を実行しないことを示す情報を記憶する。例えば、記憶部１４は、ドラッグ、スワイプ、フリック、ピンチ、ロングタップ等、制御を実行しない使用者の操作の一覧情報を記憶する。
【００６９】
制御部１５は、ＣＰＵ（Central  Processing  Unit）やＭＰＵ（Micro  Processing  Unit）等によって、記憶部１４に記憶されているプログラムがＲＡＭを作業領域として実行されることにより実現される。例えば、この各種プログラムは、表示処理や判定処理等の各種情報処理を行うアプリケーション（例えばトイレ機器操作用アプリ等）のプログラムが含まれる。また、制御部１５は、例えば、ＡＳＩＣ（Application  Specific  Integrated  Circuit）やＦＰＧＡ（Field  Programmable  Gate  Array）等の集積回路により実現される。
【００７０】
図３に示すように、制御部１５は、取得部１５１と、判定部１５２と、生成部１５３と、送信部１５４とを有し、以下に説明する判定処理の機能や作用を実現または実行する。なお、制御部１５の内部構成は、図３に示した構成に限られず、後述する判定処理を行う構成であれば他の構成であってもよい。また、制御部１５が有する各処理部の接続関係は、図３に示した接続関係に限られず、他の接続関係であってもよい。
【００７１】
取得部１５１は、各種情報を取得する。例えば、取得部１５１は、外部の情報処理装置から各種情報を取得する。例えば、取得部１５１は、便座装置２や音声出力装置５０から各種情報を取得する。例えば、取得部１５１は、記憶部１４から各種情報を取得する。例えば、取得部１５１は、接触検知部１６により検知されたセンサ情報を取得する。
【００７２】
判定部１５２は、種々の情報を判定する。例えば、判定部１５２は、取得部１５１により取得された各種情報を用いて種々の情報を判定する。例えば、判定部１５２は、記憶部１４に記憶された各種情報を用いて種々の情報を判定する。例えば、判定部１５２は、接触検知部１６により検知されたセンサ情報に基づいて、種々の判定を行う。
【００７３】
例えば、判定部１５２は、センサ情報に基づいて、使用者が接触したオブジェクトを特定する。例えば、判定部１５２は、センサ情報に基づいて、使用者の操作がタップ、ダブルタップ、ドラッグ、スワイプ、フリック、ピンチ、ロングタップ等のいずれの種別の操作であるかを特定する。
【００７４】
生成部１５３は、種々の生成を行なう。例えば、生成部１５３は、制御指示の信号を生成する。例えば、生成部１５３は、便座装置２を操作するための信号を生成する。例えば、生成部１５３は、使用者が接触したオブジェクトと関連する制御指示に対応する信号を生成する。
【００７５】
生成部１５３は、記憶部１４に記憶された情報を用いて、使用者が接触したオブジェクトと関連する制御指示に対応する信号を生成する。生成部１５３は、記憶部１４に記憶されたオブジェクトと制御指示とを対応付けた情報を用いて、便座装置２を操作するための信号を生成する。生成部１５３は、使用者が接触したオブジェクトを示す情報と、記憶部１４に記憶されたオブジェクトと制御指示とを対応付けた情報を用いて、便座装置２を操作するための信号を生成する。
【００７６】
送信部１５４は、種々の情報を送信する。例えば、送信部１５４は、通信部１１を制御することにより、種々の情報を送信する。送信部１５４は、通信部１１を介して、他の装置へ種々の情報を送信する。なお、送信部１５４は、制御部１５ではなく通信部１１に含まれてもよい。送信部１５４は、各種情報を便座装置２や音声出力装置５０へ送信する。送信部１５４は、記憶部１４に記憶された各種情報を他の装置へ送信する。送信部１５４は、取得部１５１により取得された各種情報を他の装置へ送信する。送信部１５４は、判定部１５２により判定された各種情報を他の装置へ送信する。送信部１５４は、生成部１５３により生成された各種情報を他の装置へ送信する。
【００７７】
送信部１５４は、表示部１３に表示されたオブジェクトへの使用者の接触が接触検知部１６により検知された場合に、オブジェクトと関連する制御指示により便座装置２を操作するための信号を送信する。送信部１５４は、接触検知部１６が、使用者による表示部１３の第１の領域への接触を検知した後、接触が維持された状態で接触の位置の移動を検知した場合、または接触が所定の時間以上継続した場合、信号を送信しない。
【００７８】
なお、上述した制御部１５による各種の処理は、所定のアプリケーションにより行われる場合、制御部１５の各部は、例えば、所定のアプリケーションにより実現されてもよい。例えば、制御部１５による各種の処理は、外部の情報処理装置から受信した制御情報により実現されてもよい。
【００７９】
接触検知部１６は、タッチパネルの機能を実現するためのセンサである。例えば、接触検知部１６は、圧力センサを含む。例えば、接触検知部１６は、使用者が画面に接触する圧力を示す圧力情報を検知するセンサを含む。例えば、接触検知部１６は、画面における使用者の接触範囲（座標）を検知するセンサを含む。例えば、接触検知部１６は、画面において使用者が接触する位置を示す位置情報を検知するセンサを含む。例えば、接触検知部１６は、画面において使用者が接触する面積を示す面積情報を検知するセンサを含む。例えば、接触検知部１６は、種々の他の構成と連携してタッチセンサの機能を実現する。
【００８０】
接触検知部１６は、表示部１３に対する使用者の接触を検知する。接触検知部１６は、ロック画面の表示時における表示部１３の所定の領域への使用者の接触を、ロック画面を解除するための操作として検知する。例えば、接触検知部１６は、表示部１３に表示された言語選択のための言語選択オブジェクトへの使用者の接触を、ロック画面を解除するための操作として検知する。
【００８１】
音声出力部１７は、音声を出力する。例えば、音声出力部１７は、スピーカである。例えば、音声出力部１７は、操作装置１０内に設けられる音声出力装置であってもよい。音声出力部１７は、使用者に対して種々の情報を音声で出力する。例えば、音声出力部１７は、使用者に対して音声案内を行う。
【００８２】
例えば、音声出力部１７は、第１の領域または第１の領域から前記第２の領域に移行する使用者の接触に応じて、振動または音声により、使用者に第１の領域を示す通知を行う。
【００８３】
振動出力部１８は、振動を出力する。例えば、振動出力部１８は、例えば振動モータ等により実現されるバイブレータである。振動出力部１８は、出力により、操作装置１０を振動させる。振動出力部１８は、出力により、操作装置１０の表示部１３を振動させる。振動出力部１８は、制御部１５から入力される制御信号に応じた複数種類の振動パターンで振動する振動装置である。
【００８４】
例えば、振動出力部１８は、第１の領域または第１の領域から前記第２の領域に移行する使用者の接触に応じて、振動または音声により、使用者に第１の領域を示す通知を行う。
【００８５】
枠部１９は、表示部１３の外周部１３１に設けられるフレームである。枠部１９は、表示部１３の外周部１３１を全周に亘って囲むフレームである。枠部１９は、種々の材料により形成されてもよい。
【００８６】
＜４．便座装置の機能構成＞
次に、便座装置２の機能構成について図４を参照して説明する。図４は、便座装置の機能構成の一例を示すブロック図である。図４に示すように、便座装置２は、本体部３と、便蓋４と、着座部５と、ノズル部６とを備える。なお、図２で説明した便座装置２の外観構成の点についての説明は省略する。
【００８７】
便座装置２の本体部３は、通信部３１と、人体検知部３２と、着座検知部３３と、制御部３４とを有する。
【００８８】
通信部３１は、例えば、通信回路等によって実現される。そして、通信部３１は、所定のネットワークＮと有線または無線で接続され、外部の情報処理装置との間で情報の送受信を行う。例えば、通信部３１は、ネットワークＮと有線または無線で接続され、操作装置１０や音声出力装置５０との間で情報の送受信を行う。
【００８９】
人体検知部３２は、人体を検知する機能を有する。例えば、人体検知部３２は、赤外線信号を用いた焦電センサ等により実現される。例えば、人体検知部３２は、μ（マイクロ）波を用いた焦電センサ等により実現されてもよい。なお、上記は一例であり、人体検知部３２は、上記に限らず、種々の手段により人体を検知してもよい。例えば、人体検知部３２は、トイレルームＲ（図２参照）内に入室した人（使用者など）を検知する。人体検知部３２は、検知信号を制御部３４へ出力する。
【００９０】
着座検知部３３は、便座装置２への人の着座を検知する機能を有する。着座検知部３３は、使用者が着座部５に着座したことを検知する。例えば、着座検知部３３は、荷重センサにより使用者が着座部５に着座したことを検知する。例えば、着座検知部３３は、赤外線投受光式の測距センサであり、人（使用者）が着座部５に着座する直前において着座部５の付近に存在する人体や、着座部５に着座した使用者を検知してもよい。なお、上記は一例であり、着座検知部３３は、上記に限らず、種々の手段により便座装置２への人の着座を検知してもよい。着座検知部３３は、着座検知信号を制御部３４へ出力する。
【００９１】
制御部３４は、便蓋４や着座部５やノズル部６を制御する。制御部３４は、操作装置１０から送信された信号に基づいて、便蓋４や着座部５やノズル部６を制御する。制御部３４は、操作装置１０から送信された局部洗浄に関する制御指示の信号に基づいて、ノズル部６を制御する。制御部３４は、操作装置１０から送信された便蓋開閉に関する制御指示の信号に基づいて、便蓋４を制御する。制御部３４は、操作装置１０から送信された着座部開閉に関する制御指示の信号に基づいて、着座部５を制御する。制御部３４は、有線により、便蓋４や着座部５やノズル部６に制御情報を送信する。なお、制御部３４は、無線により、便蓋４や着座部５やノズル部６に制御情報を送信してもよい。
【００９２】
制御部３４は、人体検知部３２による使用者の入室が検知されたか否かを判定する。制御部３４は、人体検知部３２によるトイレルームＲへの使用者の入室が検知されたか否かを判定する。制御部３４は、着座検知部３３による使用者の着座が検知されたか否かを判定する。制御部３４は、着座検知部３３による着座部５への使用者の着座が検知されたか否かを判定する。制御部３４は、例えば、ＣＰＵやＭＰＵやＡＳＩＣやＦＰＧＡ等の集積回路等の種々の手段により実現されてもよい。
【００９３】
なお、便座装置２には、上記に限らず種々の構成が含まれてもよい。例えば、便座装置２には、音声出力部（トイレ用擬音装置）が含まれてもよい。
【００９４】
＜５．第１領域の通知例＞
操作装置１０は、第１の領域の存在を使用者に知らせるために、第１の領域を示す通知を行ってもよい。この点について、図５を用いて説明する。図５は、操作装置の動作例を示す図である。
【００９５】
操作装置１０は、第１の領域に配置されたオブジェクトＯＢ１〜ＯＢ７に使用者が接触した場合、使用者に第１の領域を示す通知を行う。図５の例では、操作装置１０は、オブジェクトＯＢ１への使用者の接触を検知する（ステップＳ１１）。そして、操作装置１０は、使用者に第１の領域を示す通知を行う（ステップＳ１２）。例えば、操作装置１０は、振動出力部１８により振動を出力することにより、使用者に第１の領域の存在を通知する。
【００９６】
また、操作装置１０は、オブジェクトＯＢ１〜ＯＢ７の外周に設けられたエリアＡＲ１〜ＡＲ４に使用者が接触した場合、使用者に第１の領域を示す通知を行う。エリアＡＲ１は、オブジェクトＯＢ１の外周を囲むように配置される。エリアＡＲ２は、オブジェクトＯＢ２及びオブジェクトＯＢ５の外周を囲むように配置される。エリアＡＲ３は、オブジェクトＯＢ３及びオブジェクトＯＢ６の外周を囲むように配置される。エリアＡＲ４は、オブジェクトＯＢ４及びオブジェクトＯＢ７の外周を囲むように配置される。
【００９７】
なお、エリアＡＲ１〜ＡＲ４は、使用者への通知対象となるオブジェクトＯＢ１〜ＯＢ７の外周の対応する範囲を示すものであり、表示部１３には表示されない。例えば、操作装置１０は、エリアＡＲ１〜ＡＲ４の範囲を示す情報を記憶部１４（図３参照）に記憶し、使用者の接触位置との比較に基づいて、使用者がエリアＡＲ１〜ＡＲ４に接触したかを判定する。
【００９８】
また、図５の例では、操作装置１０は、オブジェクトＯＢ１の外周に設けられたエリアＡＲ１への使用者の接触を検知する（ステップＳ１５）。そして、操作装置１０は、使用者に第１の領域を示す通知を行う（ステップＳ１６）。例えば、操作装置１０は、振動出力部１８により振動を出力することにより、使用者に第１の領域の存在を通知する。
【００９９】
このように、操作装置１０は、使用者が第１の領域に接触したときや第１の領域付近の第２の領域に接触したとき、振動によって使用者に報知する。これによって、操作装置１０は、第１の領域の存在を使用者に報知することが可能となる。そのため、操作装置１０は、使用者が第１の領域やその周囲に意図せずに接触してしまったとしても、接触位置辺りに第１の領域が存在することを使用者に認知させることができる。
【０１００】
なお、操作装置１０は、第１の領域に隣接する位置に第１の領域がある場合、各第１の領域への接触ごとに通知を行ってもよい。例えば、操作装置１０は、第１の領域Ａの隣に第１の領域Ｂがある場合、第１の領域Ａに接触したときに通知した後、第１の領域Ｂに移行した際に、再度通知を行う。また、操作装置１０は、振動に限らず、音声等の種々の手段により、表示部１３における第１の領域の存在を使用者に通知してもよい。
【０１０１】
＜６．他の情報処理例＞
なお、操作装置１０の表示部１３に表示される操作画面は、図１に限らず、種々の態様であってもよい。この点について、図６を用いて説明する。図６は、操作装置の表示の一例を示す図である。
【０１０２】
図６の例では、オブジェクトが表示される第１の領域ＡＲ１と、オブジェクトが表示されない第２の領域ＡＲ２との関係を示すために、オブジェクトＯＢ２１〜ＯＢ２４等を抽象的に図示するが、オブジェクトＯＢ２１〜ＯＢ２４は、便座装置２に対する制御指示に関連するオブジェクトであるものとする。オブジェクトＯＢ２１〜ＯＢ２４は、図１中のオブジェクトＯＢ１〜ＯＢ４に各々対応してもよい。
【０１０３】
図６に示すように、操作画面が表示された表示部１３には、上側に第２の領域ＡＲ２が配置され、第１の領域ＡＲ１が下側に配置される。第１の領域ＡＲ１には、オブジェクトＯＢ２１〜ＯＢ２４が並べて配置される。第２の領域ＡＲ２には、情報表示エリアＣＴ等が配置される。
【０１０４】
このように、操作装置１０は、操作画面を表示した表示部１３に、便座装置に対する制御指示に関連するオブジェクトが表示される第１の領域と、便座装置に対する制御指示に関連しないオブジェクトが表示される第２の領域とを有することにより、使用者が誤って表示部１３に接触した場合であっても、便座装置２が操作される可能性が低減される。これにより、操作装置１０は、視覚障害者、特に全盲の人が装置を誤操作する可能性を低減することができる。
【０１０５】
ここで、図６に示すように、表示部１３の短手方向の全体の高さは、高さＨＴＡである。また、表示部１３の短手方向における第１の領域ＡＲ１の高さは、高さＨＴ１である。表示部１３の短手方向における第２の領域ＡＲ２の高さは、高さＨＴ２である。ここで、第２の領域ＡＲ２の高さＨＴ２は、第１の領域ＡＲ１の高さＨＴ１よりも大きい。すなわち、第２の領域ＡＲ２の面積が第１の領域ＡＲ１の面積よりも大きい。そのため、操作画面が表示された表示部１３は、第１の領域ＡＲ１の面積よりも大きい面積を有する第２の領域ＡＲ２を有する。
【０１０６】
このように、操作装置１０は、第１の領域の面積よりも、第２の領域の面積の方が大きく表示することにより、使用者が第１の領域に意図せずに接触してしまう可能性をより低減することができる。したがって、操作装置１０は、視覚障害者が装置を誤操作する可能性を低減することができる。
【０１０７】
＜７．接触態様に基づく判定＞
操作装置１０は、使用者の接触態様が通常の操作時の接触態様と異なる場合、第１の領域への接触であっても、便座装置２への制御指示を行わなくてもよい。例えば、操作装置１０は、使用者の操作に応じて、便座装置２への制御指示を行うかどうかを判定する。この点について、図７を用いて説明する。図７は、操作装置による操作判定の一例を示す図である。図７の例では、使用者が、オブジェクトＯＢ２２に接触した場合を一例として説明する。
【０１０８】
例えば、操作装置１０は、ドラッグ、スワイプ、フリック、ピンチ、ロングタップなど、通常のタップ操作とは異なる操作が検知された場合、便座装置２への制御指示を行わないと判定する。例えば、操作装置１０は、使用者が接触させた指を移動させたことが検知された場合、便座装置２への制御指示を行わないと判定する。例えば、操作装置１０は、使用者が表示部１３に接触させた指の位置の移動させた場合、便座装置２への制御指示を行わないと判定する。例えば、操作装置１０は、使用者が表示部１３に所定の時間以上接触を継続した場合、便座装置２への制御指示を行わないと判定する。
【０１０９】
図７の例では、使用者は、オブジェクトＯＢ２２に接触させた指ＦＧ２１を指ＦＧ２２の位置まで移動させる（ステップＳ２１）。操作装置１０は、使用者がオブジェクトＯＢ２２が表示された表示部１３の位置に接触させた指ＦＧ２１を指ＦＧ２２の位置まで移動させたことを検知する。
【０１１０】
そして、操作装置１０は、使用者が表示部１３に接触させた指を移動させたため、便座装置２への制御指示を行わないと判定する（ステップＳ２２）。このように、操作装置１０は、指を移動させるような操作や指を所定期間以上接触させるような操作を行った場合、便座装置２への制御指示を行わないと判定することで、視覚障害者が装置を誤操作する可能性を低減することができる。
【０１１１】
＜８．操作装置の具体的動作＞
次に、操作装置１０の具体的動作について図８を参照して説明する。図８は、操作装置が実行する処理の手順の一例を示すフローチャートである。
【０１１２】
図８に示すように、操作装置１０は、第１領域にオブジェクトを表示する（ステップＳ１）。例えば、操作装置１０は、表示部１３中の第１の領域にオブジェクトを表示する。
【０１１３】
そして、操作装置１０は、表示面への接触を検知した場合（ステップＳ２：Ｙｅｓ）、接触位置が第１領域かどうかを判定する（ステップＳ３）。なお、操作装置１０は、表示面への接触を検知していない場合（ステップＳ２：Ｎｏ）、ステップＳ２の処理を繰り返す。
【０１１４】
操作装置１０は、接触位置が第１領域であると判定した場合（ステップＳ３：Ｙｅｓ）、接触に応じて信号を送信する（ステップＳ４）。例えば、操作装置１０は、接触位置が第１領域に表示されたオブジェクトに対応する位置である場合、そのオブジェクトに対応する信号を便座装置２へ送信する。なお、操作装置１０は、ステップＳ４後、ステップＳ２に戻って処理を繰り返してもよい。
【０１１５】
一方、操作装置１０は、接触位置が第１領域でないと判定した場合（ステップＳ３：Ｎｏ）、信号を送信することなく処理を終了する。なお、操作装置１０は、ステップＳ２に戻って処理を繰り返してもよい。
【０１１６】
＜９．他の装置構成例＞
なお、装置構成は上記に限らず、種々の構成であってもよい。例えば、便座装置は、操作装置と一体であってもよい。図９は、便座装置の他の構成の一例を示すブロック図である。なお、図４と同様の点については適宜説明を省略する。
【０１１７】
図９に示すように、便座装置２Ａは、操作装置１０を含む。例えば、便座装置２Ａにおいて、操作装置１０は、本体部３に情報の送受信可能に接続される。例えば、操作装置１０は、本体部３と有線により接続されてもよいし、制御部３４に直接接続されてもよい。便座装置２Ａにおいて、操作装置１０は、着座部５の側部に配置されてもよい。上述したトイレシステム１には、便座装置２に替えて、便座装置２Ａが含まれてもよい。
【０１１８】
＜１０．操作装置の表示＞
なお、上記例では、操作装置１０が操作画面を表示する場合を示したが、操作装置１０は種々の画面を表示してもよい。この点について、図１０及び図１１を用いて説明する。図１０は、トイレシステムが実行する処理の手順の一例を示すフローチャートである。具体的には、図１０は、使用者の入室から操作画面の表示までにトイレシステム１が実行する処理の手順の一例を示すフローチャートである。図１１は、操作装置が実行する画面遷移の一例を示す図である。なお、図１１においては、操作装置１０に表示される画面に応じて、操作装置１０−１〜１０−４として説明するが、特に区別して説明を行う場合以外は、単に「操作装置１０」とする。図１１に示す操作装置１０−１は、使用者の入室を検知する前の待機画面の状態を示す。操作装置１０−１の待機画面は何も表示されていない状態であってもよい。
【０１１９】
図１０に示すように、トイレシステム１は、入室を検知した場合（ステップＳ１０１：Ｙｅｓ）、ウェルカム画面に表示を変更する（ステップＳ１０２）。例えば、便座装置２は、トイレルームＲ（図２参照）への使用者の入室を検知した場合、入室の検知を示す情報を操作装置１０に送信する。なお、入室の検知が可能であれば、どのような手段により検知が行われてもよく、操作装置１０が入室を検知してもよいし、トイレのドアセンサ等により、使用者の入室を検知してもよい。
【０１２０】
入室の検知を示す情報を取得した操作装置１０は、ウェルカム画面に表示を変更する。図１１の例では、操作装置１０は、操作装置１０−１の待機画面から、操作装置１０−２のウェルカム画面に表示を遷移させる。操作装置１０−２のウェルカム画面には、「Ｗｅｌｃｏｍｅ  ＸＸ  Ｔｏｉｌｅｔ」といった所定の情報が含まれる。例えば、トイレシステム１は、ウェルカム画面を表示する際に、「ようこそ、ＸＸトイレへ」といった所定の音声を出力してもよい。
【０１２１】
なお、トイレシステム１は、入室を検知していない場合（ステップＳ１０１：Ｎｏ）、ステップＳ１０１の処理を繰り返す。操作装置１０は、操作装置１０−１の待機画面の状態を継続する。
【０１２２】
そして、トイレシステム１は、ウェルカム画面の表示後に、ロック画面に表示を変更する（ステップＳ１０３）。ウェルカム画面を表示した操作装置１０は、ウェルカム画面の表示から所定の時間（例えば５秒や１０秒等の任意の時間）が経過した後、ロック画面に表示を変更する。図１１の例では、操作装置１０は、操作装置１０−２のウェルカム画面から、操作装置１０−３のロック画面に表示を遷移させる。操作装置１０−３のロック画面には、「Ｌｅｔ’s  ｔｒｙ」や「ロック解除」といった所定の情報が含まれる。
【０１２３】
なお、操作装置１０は、ロック画面の表示時において、便座装置２に対する制御指示に関連するオブジェクトの表示状態はいずれでもよい。例えば、操作装置１０は、オブジェクトを表示する場合、オブジェクトに触れられたとしても、信号（通信信号）を生成しなくてもよいし、信号（通信信号）を送信しなくてもよい。
【０１２４】
トイレシステム１は、ロック画面を解除するための操作を検知した場合（ステップＳ１０４：Ｙｅｓ）、操作画面に表示を変更する（ステップＳ１０５）。図１１の例では、操作装置１０は、操作装置１０−３のロック画面から、操作装置１０−４の操作画面に表示を遷移させる。例えば、操作装置１０は、オブジェクトが配置される第１の領域やオブジェクトが配置されない第２の領域を含む操作画面を表示する。例えば、操作画面中の映像表示画面は操作可能であってもよいし、不可能であってもよい。なお、トイレシステム１は、ロック解除を検知しなかった場合（ステップＳ１０４：Ｎｏ）、ステップＳ１０３の処理を繰り返す。操作装置１０は、操作装置１０−３のロック画面の状態を継続する。
【０１２５】
例えば、トイレシステム１は、種々の態様により、ロック解除を受け付けてもよい。例えば、トイレシステム１は、操作装置１０に７種のタッチ操作（タップ、ダブルタップ、ロングタップ、ドラッグ、スワイプ、フリック、ピンチ）のいずれかにより解除されるロックオブジェクトを表示し、表示したロックオブジェクトによりロック解除を受け付けてもよい。また、トイレシステム１は、使用者の音声による指示でロック解除を受け付けてもよい。また、トイレシステム１は、便座装置２への着座をロック解除として検知してもよい。なお、上記のロック解除は一例であり、どのような手段によりロック解除が行われてもよい。ロック解除の他の例についての詳細は後述する。
【０１２６】
なお、図１１の例では、使用者の入室から操作画面の表示までの画面の遷移について図示したが、操作装置１０は、使用者のトイレの利用から退室までについても同様に画像を遷移させてもよい。
【０１２７】
例えば、操作画面の表示後において、操作装置１０は、使用者の退室の検知が行われた場合、操作画面から所定の画面（サンキュー画面）に表示を遷移する。サンキュー画面は、「Ｔｈａｎｋ  ｙｏｕ」といった所定の情報が含まれてもよい。また、トイレシステム１は、サンキュー画面を表示する際に、「ＸＸトイレのご利用ありがとうございました」といった所定の音声を出力してもよい。
【０１２８】
例えば、操作装置１０は、使用者の着座状態の解除が検知された場合、使用者の退室が行われるとして、サンキュー画面を表示してもよい。例えば、操作装置１０は、トイレのドアセンサ等により使用者のドアへの操作が検知された場合、サンキュー画面を表示してもよい。
【０１２９】
サンキュー画面を表示した操作装置１０は、サンキュー画面の表示から所定の時間（例えば３秒や１５秒等の任意の時間）が経過した後、待機画面に表示を変更する。
【０１３０】
＜１１．機能説明の動作例＞
操作装置１０は、オブジェクトの機能を説明する動画等を表示してもよい。この点について、図１２を用いて説明する。図１２は、操作装置が実行する機能説明の処理の手順の一例を示すフローチャートである。
【０１３１】
図１２の例では、操作装置１０は、操作画面を表示する（ステップＳ２０１）。例えば、操作装置１０は、使用者によるロック解除後において操作画面を表示する。
【０１３２】
図１２に示すように、操作装置１０は、機能説明オブジェクトに接触を検知していない場合（ステップＳ２０２：Ｎｏ）、操作装置１０が使用されることなく所定時間経過したかどうかを判定する（ステップＳ２０３）。例えば、操作装置１０は、操作画面が表示された時点または最後に操作装置１０が使用された時点から、操作装置１０が使用されることなく所定時間（例えば３０秒や１分等）経過したかどうかを判定する。
【０１３３】
操作装置１０は、操作装置１０が使用されることなく所定時間経過したと判定した場合（ステップＳ２０３：Ｙｅｓ）、機能説明の映像を表示する（ステップＳ２０４）。例えば、操作装置１０は、操作装置１０が使用されることなく所定時間経過したと判定した場合、所定の機能説明オブジェクトに対応するオブジェクトの機能を説明する動画を再生する。例えば、操作装置１０は、操作装置１０が使用されることなく所定時間経過したと判定した場合、ランダムに選択した機能説明オブジェクトに対応するオブジェクトの機能を説明する動画を再生する。
【０１３４】
一方、操作装置１０は、操作装置１０が使用されることなく所定時間経過していないと判定した場合（ステップＳ２０３：Ｎｏ）、ステップＳ２０２に戻って処理を繰り返す。
【０１３５】
また、操作装置１０は、機能説明オブジェクトに接触を検知した場合（ステップＳ２０２：Ｙｅｓ）、機能説明の映像を表示する（ステップＳ２０４）。例えば、操作装置１０は、機能説明オブジェクトに接触を検知した場合、その機能説明オブジェクトに対応するオブジェクトの機能を説明する動画を再生する。操作装置１０は、図１に示すオブジェクトＯＢ２〜ＯＢ４の右下に配置された機能説明オブジェクトＩＯ２〜ＩＯ４のいずれかに使用者が接触した場合、接触した機能説明オブジェクトに対応するオブジェクトの機能を説明する動画を情報表示エリアＣＴに表示（再生）する。例えば、操作装置１０は、機能説明オブジェクトＩＯ４に使用者が接触した場合、情報表示エリアＣＴにオブジェクトＯＢ４に関する機能説明のコンテンツを表示する。
【０１３６】
そして、操作装置１０は、他のオブジェクトに接触したか否かを判定する（ステップＳ２０５）。操作装置１０は、他のオブジェクトに接触していない場合（ステップＳ２０５：Ｎｏ）、機能説明オブジェクトに接触してから所定時間経過したかどうかを判定する（ステップＳ２０６）。例えば、操作装置１０は、機能説明オブジェクトＩＯ２〜ＩＯ４のいずれかに使用者が接触した時点または機能説明の映像の表示開始の時点から、所定時間（例えば機能説明の映像の再生時間等）経過したかどうかを判定する。
【０１３７】
操作装置１０は、機能説明オブジェクトに接触してから所定時間経過していないと判定した場合（ステップＳ２０６：Ｎｏ）、ステップＳ２０５に戻って処理を繰り返す。
【０１３８】
一方、操作装置１０は、機能説明オブジェクトに接触してから所定時間経過したと判定した場合（ステップＳ２０６：Ｙｅｓ）、機能説明の表示を終了する（ステップＳ２０７）。また、操作装置１０は、他のオブジェクトに接触したと判定した場合（ステップＳ２０５：Ｙｅｓ）、機能説明の表示を終了する（ステップＳ２０７）。そして、操作装置１０は、ステップＳ２０７後、ステップＳ２０１に戻って処理を繰り返す。なお、操作装置１０は、ステップＳ２０７後において操作画面の表示の変更が無い場合、ステップＳ２０２に戻って処理を繰り返してもよい。
【０１３９】
＜１２．ロックの解除例＞
操作装置１０は、種々の態様により使用者にロック解除を行わせてもよい。この点について、図１３を用いて説明する。図１３は、操作装置が実行するロック解除における画面遷移の一例を示す図である。
【０１４０】
図１３に示すように、操作装置１０は、使用者に２段階のロック解除操作を行わせてもよい。なお、図１３においては、操作装置１０に表示される画面に応じて、操作装置１０−３、１０−３１、１０−４として説明するが、特に区別して説明を行う場合以外は、単に「操作装置１０」とする。図１３に示す操作装置１０−３及び操作装置１０−４は、図１１に示す操作装置１０−３及び操作装置１０−４と同様である。
【０１４１】
図１３に示す操作装置１０−３には第１ロック画面が表示されており、表示部１３の領域ＡＲ３１には、使用者の接触を、ロック画面を解除するための操作として検知するオブジェクトＯＢ３１が表示される。操作装置１０は、オブジェクトＯＢ３１が表示された領域ＡＲ３１への使用者の接触を検知する（ステップＳ３１）。
【０１４２】
これにより、操作装置１０は、画面を遷移する（ステップＳ３２）。図１３の例では、操作装置１０は、操作装置１０−３の第１ロック画面から、操作装置１０−３１の第２ロック画面に表示を遷移させる。
【０１４３】
操作装置１０−３１の第２ロック画面には、表示部１３の領域ＡＲ３１とは異なる位置にある表示部１３の領域ＡＲ３２に、使用者によるロック画面を解除するための操作を確定するロック解除オブジェクトＯＢ３２が配置される。操作装置１０の表示部１３において、領域ＡＲ３１の範囲と領域ＡＲ３２の範囲とは重ならない。図１３の例では、操作装置１０−３１の第２ロック画面において、ロック解除オブジェクトＯＢ３２が配置される領域ＡＲ３２は、表示部１３の端部に配置される。これにより、操作装置１０は、全盲の人等の視覚障害者が操作装置１０を触って、意図せずにロック画面を解除してしまう可能性をさらに低減することができる。
【０１４４】
また、操作装置１０−３１の第２ロック画面には、「画面のスタートボタンにタッチしてロックを解除してください」といった使用者へロック解除方法を示す文字情報が表示される。これにより、操作装置１０は、健常者にはロック解除する方法を具体的に通知することができるため、健常者がロック画面を解除できない可能性を低減することができる。
【０１４５】
操作装置１０は、ロック解除オブジェクトＯＢ３２が表示された領域ＡＲ３２への使用者の接触を検知する（ステップＳ３３）。
【０１４６】
これにより、操作装置１０は、ロックを解除する（ステップＳ３４）。例えば、操作装置１０は、画面を遷移する。図１３の例では、操作装置１０は、操作装置１０−３１の第２ロック画面から、操作装置１０−４の操作画面に表示を遷移させる。
【０１４７】
＜１３．他の操作を利用したロックの解除例＞
操作装置１０は、使用者による他の操作をロック解除として受け付けてもよい。この点について、図１４を用いて説明する。図１４は、操作装置が実行するロック解除における画面遷移の他の一例を示す図である。
【０１４８】
図１４に示すように、操作装置１０は、使用者による言語選択をロック解除操作として受け付けてもよい。なお、図１４においては、操作装置１０に表示される画面に応じて、操作装置１０−３５、１０−３６、１０−４として説明するが、特に区別して説明を行う場合以外は、単に「操作装置１０」とする。図１４に示す操作装置１０−４は、図１１に示す操作装置１０−４と同様である。なお、図１４に示す操作装置１０−３５のロック画面（以下「第１ロック画面」ともいう）は、図１３に示す操作装置１０−３の第１ロック画面と、オブジェクトが言語選択のオブジェクトである点で相違する。例えば、図１４に示す言語選択のオブジェクトＯＢ７は、図１中のオブジェクトＯＢ７と同様であり、トイレの利用に関する情報を操作装置１０に表示したり音声出力したりする際の言語を選択するためのオブジェクトである。
【０１４９】
図１４に示す操作装置１０−３５には第１ロック画面が表示されており、表示部１３の領域ＡＲ３５には、使用者が言語選択を行うためのオブジェクトＯＢ７が表示される。操作装置１０は、オブジェクトＯＢ７が表示された領域ＡＲ３５への使用者の接触を検知する（ステップＳ３５）。
【０１５０】
これにより、操作装置１０は、選択可能言語を表示する（ステップＳ３６）。図１４の例では、操作装置１０は、操作装置１０−３５の第１ロック画面（第１言語選択画面）から、操作装置１０−３６の言語選択画面（以下「第２ロック画面」ともいう）に表示を遷移させる。なお、操作装置１０は、表示を遷移させることなく、言語選択オブジェクトＯＢ３６を表示させることにより、操作装置１０−３５の第１ロック画面（第１言語選択画面）から、操作装置１０−３６の第２ロック画面（第２言語選択画面）に表示を変更してもよい。
【０１５１】
操作装置１０−３６の第２ロック画面には、表示部１３の領域ＡＲ３５とは異なる位置にある表示部１３の領域ＡＲ３６に、使用者による一の言語の選択を受け付ける言語選択オブジェクトＯＢ３６が配置される。言語選択オブジェクトＯＢ３６には、「日本語」、「Ｅｎｇｌｉｓｈ」、「Ｆｒｅｎｃｈ」といった選択可能な言語の一覧が含まれる。操作装置１０の表示部１３において、領域ＡＲ３５の範囲と領域ＡＲ３６の範囲とは重ならない。これにより、操作装置１０は、使用者の言語選択の操作を、ロック画面を解除するための操作として受け付けることができるため、健常者の利便性の低下を抑制しつつ、全盲の人等の視覚障害者が操作装置１０を触って、意図せずにロックが解除される可能性をさらに低減することができる。
【０１５２】
操作装置１０は、言語選択オブジェクトＯＢ３６が表示された領域ＡＲ３６への使用者の接触を検知する（ステップＳ３７）。図１３の例では、操作装置１０は、言語選択オブジェクトＯＢ３６が表示された領域ＡＲ３６のうち、「Ｅｎｇｌｉｓｈ」への使用者の接触を検知する。
【０１５３】
これにより、操作装置１０は、ロックを解除する（ステップＳ３８）。例えば、操作装置１０は、選択された言語により情報が表示される画面に遷移する。図１４の例では、操作装置１０は、操作装置１０−３６の第２ロック画面から、英語で表記された操作装置１０−４の操作画面に表示を遷移させる。このように、操作装置１０は、使用者の言語選択の操作を、ロック画面を解除するための操作と同じ操作で受け付けることができるため、健常者の利便性を向上させつつ、視覚障害者が装置を誤操作する可能性を低減することができる。なお、上述してきた各実施形態及び変形例は、処理内容を矛盾させない範囲で適宜組み合わせることが可能である。
【０１５４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１５５】
Ｒ  トイレルーム
１  トイレシステム
２  便座装置
３  本体部
３１  通信部
３２  人体検知部
３３  着座検知部
３４  制御部
４  便蓋
５  着座部
６  ノズル部
７  洋式大便器（便器）
８  ボウル部
９  リム部
１０  操作装置
１１  通信部
１２  入力部
１３  表示部
１３１  外周部
１４  記憶部
１５  制御部
１５１  取得部
１５２  判定部
１５３  生成部
１５４  送信部
１６  接触検知部
１７  音声出力部
１８  振動出力部
１９  枠部
【図１】
2020119105.tif 000003
【図２】
2020119105.tif 000004
【図３】
2020119105.tif 000005
【図４】
2020119105.tif 000006
【図５】
2020119105.tif 000007
【図６】
2020119105.tif 000008
【図７】
2020119105.tif 000009
【図８】
2020119105.tif 000010
【図９】
2020119105.tif 000011
【図１０】
2020119105.tif 000012
【図１１】
2020119105.tif 000013
【図１２】
2020119105.tif 000014
【図１３】
2020119105.tif 000015
【図１４】
2020119105.tif 000016
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
局部洗浄機能を有する便座装置が備えられたトイレルーム内に設置され、前記便座装置を操作するための操作装置であって、
前記操作装置は、
前記便座装置に対する制御指示に関連するオブジェクトを表示する表示部と、
前記表示部に対する使用者の接触を検知する接触検知部と、
前記表示部に表示された前記オブジェクトへの前記使用者の接触が前記接触検知部により検知された場合に、前記オブジェクトと関連する前記制御指示により前記便座装置を操作するための信号を送信する送信部と、
を備え、
前記表示部は、
前記便座装置を操作不可能なロック画面と、前記便座装置を操作可能なロック解除画面と、を有し、
前記接触検知部は、
前記ロック画面の表示時における言語選択を開始するための言語選択開始オブジェクトへの前記使用者の接触を、前記ロック画面を解除するための操作として検知することを特徴とする操作装置。
【請求項２】
前記表示部は、
前記言語選択開始オブジェクトへの前記使用者の接触が検知された場合、前記言語選択開始オブジェクトとは異なる位置に、前記使用者による前記ロック画面を解除するための操作を確定するロック解除オブジェクトを表示することを特徴とする請求項１に記載の操作装置。
【請求項３】
前記表示部は、
前記言語選択開始オブジェクトとは異なる位置に、前記表示部に表示する言語を確定するための操作を確定する言語確定オブジェクトを表示すると共に、前記言語確定オブジェクトを、前記ロック画面を解除するためのロック解除オブジェクトとして表示することを特徴とする請求項２に記載の操作装置。
【請求項４】
前記表示部は、
前記トイレルームへの前記使用者の入室が検知された場合に、前記使用者による操作を受け付けない入室検知時初期画面を表示し、前記入室から所定の期間経過後に、前記入室検知時初期画面から前記ロック画面に表示を変更することを特徴とする請求項１〜３のいずれか１項に記載の操作装置。